(57)【要約】    【課題】      ＩＰ電話システムに動画符号化・復号化処理ハードウェアを追加することなく、また、ＩＰ電話装置に特別な動画符号化・復号化処理ソフトウェアを追加することなくビジュアルコミュニケーションを安価に実現すること。    【解決手段】  ＩＰ電話１０１のＣＰＵ２０１は、宛先ＩＰ電話１０２との通話開始後に、その宛先ＩＰ電話１０２のＮＡＰＴＲレコードの問い合わせのＥＮＵＭサーバ１０５への送出、その問い合わせに対するＥＮＵＭサーバ１０５からの応答の受信制御を行う。また、ＣＰＵ２０１は、受信したＩＰアドレスによる宛先ネットワークカメラ１０４内のＷＥＢサーバ１０４ＢのＵＲＬへのアクセス制御、そのアクセスに対するＷＥＢサーバ１０４Ｂからの応答の受信制御、その応答受信後のＷＥＢサーバ１０４Ｂからの静止画データの受信制御を行う。  【選択図】      図２
2006135448.tif 000002
【特許請求の範囲】
【請求項１】
ＩＰ電話装置の端末情報としてＩＰ電話のＵＲＩとＩＰ電話装置に対応するＷＥＢサーバのＵＲＩを登録するデータベースを具備するＥＮＵＭサーバと、撮影装置の撮影した画像データを格納するＷＥＢサーバとＩＰネットワークを介して接続されるＩＰ電話装置であって、
前記ＥＮＵＭサーバに対して相手先ＩＰ電話装置の端末情報の問い合わせを送信する送信手段と、
前記ＥＮＵＭサーバから前記相手先ＩＰ電話装置の端末情報を受信する受信手段と、
前記受信手段により受信した前記相手先ＩＰ電話装置の端末情報を取得し、該端末情報のＷＥＢサーバのＵＲＩにより前記ＷＥＢサーバとの間で画像通信を実行する画像通信手段と、
前記画像通信により前記ＷＥＢサーバから受信した撮影画像データを表示する表示手段と、
を具備することを特徴とするＩＰ電話装置。
【請求項２】
ＩＰ電話装置を含むＩＰ端末とＩＰネットワークを介して接続されるＥＮＵＭサーバであって、
ＩＰ電話装置の端末情報としてＩＰ電話装置のＵＲＩとＩＰ電話装置に対応するＷＥＢサーバのＵＲＩを記憶する記憶手段と、
前記ＩＰ端末からＩＰ電話装置の端末情報の問い合わせを受信する受信手段と、
前記受信手段によりＩＰ電話装置の端末情報の問い合わせを受信したとき、前記記憶手段から該当する端末情報を検索する検索手段と、
前記検索手段により検索した端末情報を前記ＩＰ端末に送信する送信手段と、
を具備することを特徴とするＥＮＵＭサーバ。
【請求項３】
ＩＰ電話装置と、ＩＰ電話装置の端末情報としてＩＰ電話装置のＵＲＩとＩＰ電話装置に対応するＷＥＢサーバのＵＲＬを登録するデータベースを具備するＥＮＵＭサーバと、撮影装置の撮影した画像データを格納するＷＥＢサーバとＩＰネットワークを介して接続される情報処理装置であって、
前記ＩＰ電話装置に対して前記ＩＰ電話装置の相手先ＩＰ電話装置の電話番号を送信する電話番号送信手段と、
前記ＥＮＵＭサーバに対して前記相手先ＩＰ電話装置の端末情報の問い合わせを送信する問合せ送信手段と、
前記ＥＮＵＭサーバから前記相手先ＩＰ電話装置の端末情報を受信する受信手段と、
前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、
前記画像通信により前記ＷＥＢサーバから受信した画像データを表示する表示手段と、
を具備することを特徴とする情報処理装置。
【請求項４】
ＩＰネットワークに接続されたＩＰ電話装置と、撮影装置の撮影した画像データを格納するＷＥＢサーバと、ＩＰ電話装置の端末情報としてＩＰ電話装置に対応するＷＥＢサーバのＵＲＩを登録するデータベースを具備するＥＮＵＭサーバと、を具備するＩＰ電話システムであって、
前記ＩＰ電話装置は、
前記ＥＮＵＭサーバに対して相手先ＩＰ電話装置の端末情報の問い合わせを送信する送信手段と、
前記ＥＮＵＭサーバから前記相手先ＩＰ電話装置の端末情報を受信する受信手段と、
前記受信手段により受信した端末情報から前記ＷＥＢサーバのＵＲＩを取得し、該ＵＲＩにより前記ＷＥＢサーバとの間で画像通信を実行する画像通信手段と、
前記画像通信により前記ＷＥＢサーバから受信した撮影画像データを表示する表示手段と、を具備し、
前記ＥＮＵＭサーバは、
ＩＰ電話装置の端末情報としてＩＰ電話装置のＵＲＩとＩＰ電話装置に対応するＷＥＢサーバのＵＲＩを記憶する記憶手段と、
前記ＩＰ電話装置から相手先ＩＰ電話装置の端末情報の問い合わせを受信する受信手段と、
前記受信手段により相手先ＩＰ電話装置の端末情報の問い合わせを受信したとき、前記記憶手段から該当する端末情報を検索する検索手段と、
前記検索手段により検索した端末情報を前記ＩＰ電話装置に送信する送信手段と、
を具備することを特徴とするＩＰ電話システム。
【請求項５】
ネットワークに接続されたＩＰ電話装置と、撮影装置の撮影する画像データを格納するＷＥＢサーバと、ＩＰ電話装置の端末情報としてＩＰ電話装置のＵＲＩとＩＰ電話装置に対応するＷＥＢサーバのＵＲＩを登録するデータベースを具備するＥＮＵＭサーバと、ＩＰ電話装置に関連付けられた情報処理装置と、を具備するＩＰ電話システムであって、
前記情報処理装置は、
前記ＩＰ電話装置に対して前記ＩＰ電話装置の相手先ＩＰ電話装置の電話番号を送信する送信手段と、
前記ＥＮＵＭサーバに対して前記相手先ＩＰ電話装置の端末情報の問い合わせを送信する送信手段と、
前記ＥＮＵＭサーバから前記相手先ＩＰ電話装置の端末情報を受信する受信手段と、
前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、
前記画像通信により前記ＷＥＢサーバから受信した画像データを表示する表示手段と、を具備し、
前記ＩＰ電話装置は、
前記情報処理装置から前記相手先ＩＰ電話装置の電話番号を受信する受信手段と、
前記受信手段により受信した電話番号に基づいて前記ＥＮＵＭサーバに前記相手先ＩＰ電話装置のＵＲＩを問い合わせて応答を受信し、前記相手先ＩＰ電話装置のＵＲＩをＤＮＳサーバに問い合わせてＩＰアドレスを受信する受信手段と、を具備し、
前記ＥＮＵＭサーバは、
ＩＰ電話装置の端末情報としてＩＰ電話装置のＵＲＩとＩＰ電話装置に対応するＷＥＢサーバのＵＲＩを記憶する記憶手段と、
前記情報処理装置及び前記ＩＰ電話装置から前記相手先ＩＰ電話装置の端末情報の問い合わせを受信する受信手段と、
前記受信手段により前記相手先ＩＰ電話装置の端末情報の問い合わせを受信したとき、前記記憶手段から該当する端末情報を検索する検索手段と、
前記検索手段により検索した端末情報を前記情報処理装置及び前記ＩＰ電話装置に送信する送信手段と、
を具備することを特徴とするＩＰ電話システム。
【発明の詳細な説明】
【技術分野】
【０００１】
本発明は、ＩＰ電話装置、ＥＮＵＭサーバ、情報処理装置及びＩＰ電話システムに関し、特に、ビジュアルコミュニケーションを提供するＩＰ電話装置、ＥＮＵＭサーバ、情報処理装置及びＩＰ電話システムに関する。
【背景技術】
【０００２】
近年、インターネットの急速な普及に伴い、遠隔地の電話装置と低料金での通話や登録会員同士のＩＰ電話装置間で無料通話が可能なＩＰ電話システムが注目されている。また、インターネットを利用したサービスやインターネット上のリソースと電話番号を結びつけるプロトコルとして、ＩＥＴＦ(Internet Engineering Task Force )やＩＴＵ−Ｔ（International Telecommunication Union-Telecommunication Standardization Sector）などで検討が進められているＲＦＣ２９１６（非特許文献１）で規定される「ＥＮＵＭ（tElephone Number Mapping）」プロトコルがある。
【０００３】
この「ＥＮＵＭ」プロトコルは、ＩＴＵ−Ｔで定められたＥ．１６４の体系に合うよう変換された電話番号を元に、ＤＮＳ（Domain Name System）の仕組みを利用してそれをＩＰアドレス、もしくはＵＲＩ(Uniform Resource Identifier )を検索できるようにするものである。
【０００４】
また、ＩＰ端末装置は、ＥＮＵＭサーバに登録されるＮＡＰＴＲリソースレコードに設定されるＵＲＩにより、ＩＰ端末装置が対応する各種リソースへのアクセスを可能にしている。このリソースを利用するサービスとしては、例えば、ビジュアルコミュニケーションが各社から提案されている。
【非特許文献１】ＥＮＵＭトライアルジャパン発行「ＥＮＵＭトライアルジャパン第一次報告書」、２００４年５月
【発明の開示】
【発明が解決しようとする課題】
【０００５】
しかしながら、ＩＰ端末装置を利用するビジュアルコミュニケーションでは、動画像の撮影、符号・復号の高速処理のため新たなハードウェアやソフトウェアの追加投資が必要であり、ユーザに対するコスト負担が大きくビジュアルコミュニケーションの普及を妨げている。
【０００６】
そこで、ユーザが既に所有する電話装置やパーソナルコンピュータ等の資産を利用して、安価にビジュアルコミュニケーションを実現することが望まれている。
【０００７】
本発明はかかる点に鑑みてなされたものであり、ユーザが所有するＩＰ電話装置やブラウザ搭載パーソナルコンピュータ等の資産を利用して、安価なビジュアルコミュニケーションを実現するＩＰ電話装置、ＥＮＵＭサーバ、情報処理装置及びＩＰ電話システムを提供することを目的とする。
【課題を解決するための手段】
【０００８】
本発明は、ＩＰ電話装置の端末情報としてＩＰ電話のＵＲＩとＩＰ電話装置に対応するＷＥＢサーバのＵＲＩを登録するデータベースを具備するＥＮＵＭサーバと、撮影装置の撮影した画像データを格納するＷＥＢサーバとＩＰネットワークを介して接続されるＩＰ電話装置であって、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した前記相手先ＩＰ電話装置の端末情報を取得し、該端末情報のＷＥＢサーバのＵＲＩにより前記ＷＥＢサーバとの間で画像通信を実行する画像通信手段と、前記画像通信により前記ＷＥＢサーバから受信した撮影画像データを表示する表示手段と、を具備するようにしたものである。
【発明の効果】
【０００９】
本発明に係るＩＰ電話装置、ＥＮＵＭサーバ、情報処理装置及びＩＰ電話システムによれば、ＩＰ電話システムに動画符号化・復号化処理ハードウェアを追加することなく、また、ＩＰ電話装置に特別な動画符号化・復号化ソフトウェアを追加することなくビジュアルコミュニケーションを安価に実現することができる。
【発明を実施するための最良の形態】
【００１０】
本発明の第１の態様に係るＩＰ電話装置は、ＩＰ電話装置の端末情報としてＩＰ電話のＵＲＩとＩＰ電話装置に対応するＷＥＢサーバのＵＲＩを登録するデータベースを具備するＥＮＵＭサーバと、撮影装置の撮影した画像データを格納するＷＥＢサーバとＩＰネットワークを介して接続されるＩＰ電話装置であって、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した前記相手先ＩＰ電話装置の端末情報を取得し、該端末情報のＷＥＢサーバのＵＲＩにより前記ＷＥＢサーバとの間で画像通信を実行する画像通信手段と、前記画像通信により前記ＷＥＢサーバから受信した撮影画像データを表示する表示手段と、を具備する構成を採る。
【００１１】
この構成によれば、ＩＰ電話システムに動画符号化・復号化処理ハードウェアを追加することなく、また、ＩＰ電話に特別な動画符号化・復号化ソフトウェアを追加することなくビジュアルコミュニケーションを安価に実現することができる。
【００１２】
本発明の第２の態様に係るＥＮＵＭサーバは、ＩＰ電話装置を含むＩＰ端末とＩＰネットワークを介して接続されるＥＮＵＭサーバであって、ＩＰ電話装置の端末情報としてＩＰ電話装置のＵＲＩとＩＰ電話装置に対応するＷＥＢサーバのＵＲＩを記憶する記憶手段と、前記ＩＰ端末からＩＰ電話装置の端末情報の問い合わせを受信する受信手段と、前記受信手段によりＩＰ電話装置の端末情報の問い合わせを受信したとき、前記記憶手段から該当する端末情報を検索する検索手段と、前記検索手段により検索した端末情報を前記ＩＰ端末に送信する送信手段と、を具備する構成を採る。
【００１３】
この構成によれば、ＩＰ電話システムに動画符号化・復号化処理ハードウェアを追加することなく、また、ＩＰ端末に特別な動画符号化・復号化ソフトウェアを追加することなくビジュアルコミュニケーションを安価に実現することができる。
【００１４】
本発明の第３の態様に係る情報処理装置は、ＩＰ電話装置と、ＩＰ電話装置の端末情報としてＩＰ電話装置のＵＲＩとＩＰ電話装置に対応するＷＥＢサーバのＵＲＬを登録するデータベースを具備するＥＮＵＭサーバと、撮影装置の撮影した画像データを格納するＷＥＢサーバとＩＰネットワークを介して接続される情報処理装置であって、前記ＩＰ電話装置に対して前記ＩＰ電話装置の相手先ＩＰ電話装置の電話番号を送信する電話番号送信手段と、前記ＥＮＵＭサーバに対して前記相手先ＩＰ電話装置の端末情報の問い合わせを送信する問合せ送信手段と、前記ＥＮＵＭサーバから前記相手先ＩＰ電話装置の端末情報を受信する受信手段と、前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、前記画像通信により前記ＷＥＢサーバから受信した画像データを表示する表示手段と、を具備する構成を採る。
【００１５】
この構成によれば、ＩＰ電話システムに動画符号化・復号化処理ハードウェアを追加することなく、また、ＩＰ電話装置に特別な動画符号化・復号化ソフトウェアを追加することなくビジュアルコミュニケーションを安価に実現することができる。
【００１６】
本発明の第４の態様に係るＩＰ電話システムは、ＩＰネットワークに接続されたＩＰ電話装置と、撮影装置の撮影した画像データを格納するＷＥＢサーバと、ＩＰ電話装置の端末情報としてＩＰ電話装置に対応するＷＥＢサーバのＵＲＩを登録するデータベースを具備するＥＮＵＭサーバと、を具備するＩＰ電話システムであって、前記ＩＰ電話装置は、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した端末情報から前記ＷＥＢサーバのＵＲＩを取得し、該ＵＲＩにより前記ＷＥＢサーバとの間で画像通信を実行する画像通信手段と、前記画像通信により前記ＷＥＢサーバから受信した撮影画像データを表示する表示手段と、を具備し、前記ＥＮＵＭサーバは、ＩＰ電話装置の端末情報としてＩＰ電話装置のＵＲＩとＩＰ電話装置に対応するＷＥＢサーバのＵＲＩを記憶する記憶手段と、前記ＩＰ電話装置から相手先ＩＰ電話装置の端末情報の問い合わせを受信する受信手段と、前記受信手段により相手先ＩＰ電話装置の端末情報の問い合わせを受信したとき、前記記憶手段から該当する端末情報を検索する検索手段と、前記検索手段により検索した端末情報を前記ＩＰ電話装置に送信する送信手段と、を具備する構成を採る。
【００１７】
この構成によれば、ＩＰ電話システムに動画符号化・復号化処理ハードウェアを追加することなく、また、ＩＰ電話装置に特別な動画符号化・復号化ソフトウェアを追加することなくビジュアルコミュニケーションを安価に実現することができる。
【００１８】
本発明の第５の態様に係るＩＰ電話システムは、ネットワークに接続されたＩＰ電話装置と、撮影装置の撮影する画像データを格納するＷＥＢサーバと、ＩＰ電話装置の端末情報としてＩＰ電話装置のＵＲＩとＩＰ電話装置に対応するＷＥＢサーバのＵＲＩを登録するデータベースを具備するＥＮＵＭサーバと、ＩＰ電話装置に関連付けられた情報処理装置と、を具備するＩＰ電話システムであって、前記情報処理装置は、前記ＩＰ電話装置に対して前記ＩＰ電話装置の相手先ＩＰ電話装置の電話番号を送信する送信手段と、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、前記画像通信により前記ＷＥＢサーバから受信した画像データを表示する表示手段と、を具備し、前記ＩＰ電話装置は、前記情報処理装置から前記相手先ＩＰ電話装置の電話番号を受信する受信手段と、前記受信手段により受信した電話番号に基づいて前記ＥＮＵＭサーバに前記相手先ＩＰ電話装置のＵＲＩを問い合わせて応答を受信し、前記相手先ＩＰ電話装置のＵＲＩをＤＮＳサーバに問い合わせてＩＰアドレスを受信する受信手段と、を具備し、前記ＥＮＵＭサーバは、ＩＰ電話装置の端末情報としてＩＰ電話装置のＵＲＩとＩＰ電話装置に対応するＷＥＢサーバのＵＲＩを記憶する記憶手段と、前記情報処理装置及び前記ＩＰ電話装置から前記相手先ＩＰ電話装置の端末情報の問い合わせを受信する受信手段と、前記受信手段により前記相手先ＩＰ電話装置の端末情報の問い合わせを受信したとき、前記記憶手段から該当する端末情報を検索する検索手段と、前記検索手段により検索した端末情報を前記情報処理装置及び前記ＩＰ電話装置に送信する送信手段と、を具備する構成を採る。
【００１９】
この構成によれば、ＩＰ電話システムに動画符号化・復号化処理ハードウェアを追加することなく、また、ＩＰ電話装置に特別な動画符号化・復号化ソフトウェアを追加することなくビジュアルコミュニケーションを安価に実現することができる。
【００２０】
以下、本発明の実施の形態について図面を参照して詳細に説明する。
【００２１】
（実施の形態１）
図１は、本実施の形態１のＩＰ電話システムの全体構成を示す図である。図１において、ＩＰ電話システム１００は、複数台のＩＰ電話装置（以下、ＩＰ電話という）１０１，１０２、ネットワークカメラ１０３，１０４、ＥＮＵＭサーバ１０５、及び呼接続制御装置（以下、ＣＡという）１０６がＩＰネットワーク１０７を介して相互に接続されている。なお、同図の構成に限らず３台以上のＩＰ電話を接続してＩＰ電話システムを構成してもよい。
【００２２】
ＩＰ電話１０１（１０２）は、ＩＰネットワーク１０７を介して他のＩＰ電話との間で音声通話が可能な機能と、ネットワークカメラ１０４（１０３）から受信する静止画データを表示する機能を有している。
【００２３】
ネットワークカメラ１０３（１０４）は、その内部にカメラ１０３Ａ（１０４Ａ）とＷＥＢサーバ１０３Ｂ（１０４Ｂ）を備えている。カメラ１０３Ａ（１０４Ａ）は、撮影静止画を定期的にビデオキャプチャし、そのビデオキャプチャした静止画データをＷＥＢサーバ１０３Ｂ（１０４Ｂ）に出力する機能を有している。ＷＥＢサーバ１０３Ｂ（１０４Ｂ）は、ＵＲＬにアクセスしてきたＩＰ電話１０２（１０１）に対して、カメラ１０３Ａ（１０４Ａ）から入力された静止画データをＨＴＭＬファイル化して、アクセスしたＩＰ電話１０２（１０１）にＩＰネットワーク１０７を介して送信する機能を有している。
【００２４】
ＥＮＵＭ（tElephone Number Mapping）サーバ１０５は、ＮＡＰＴＲ（The Naming Authority Pointer）リソースレコード（以下、ＮＡＰＴＲレコードという）を登録するデータベースを備える。ＥＮＵＭサーバ１０５は、ＩＰ電話１０１（１０２）の問い合わせに応じて、データベースに登録されたＮＡＰＴＲレコードをＩＰ電話１０１（１０２）に返送する。
【００２５】
ＣＡ１０６は、ＩＰネットワーク１０７に接続されたＩＰ電話１０１（１０２）間の呼接続を制御する。ＣＡ１０６は、着信を受けたＩＰ電話１０１（１０２）からの呼接続要求に応じて、相手先のＩＰ電話１０１（１０２）との間で呼接続制御を実行する。
【００２６】
図２は、本実施の形態のＩＰ電話１０１の構成を示すブロック図である。なお、ＩＰ電話１０２もＩＰ電話１０１と同様の構成を有する。
【００２７】
図２において、ＩＰ電話１０１は、ＣＰＵ２０１、メモリ２０２、ハンドセット２０３、表示装置２０４及びネットワーク・インターフェース（以下、ネットワークＩ／Ｆという）２０５により主に構成されている。
【００２８】
ＣＰＵ（Central Processing Unit ）２０１は、メモリ２０２に記憶された音声通話制御プログラムに基づいてＩＰネットワーク１０７を介して他のＩＰ電話１０２と音声通話を行う際に必要となる全ての動作を制御する。従って、ＣＰＵ２０１は、ＳＩＰ（Session Initiation Protocol ）やＨ．３２３に代表される呼制御プロトコルに従って、相手先端末との間の呼制御を実行する。また、ＣＰＵ２０１は、表示装置２０４やネットワークＩ／Ｆ２０５に必要な指示を与える。
【００２９】
また、ＣＰＵ２０１は、自装置の端末の登録要求（Ｒｅｇｉｓｔｅｒ）のＣＡ１０６への送出や、その登録要求に対するＣＡ１０６からの応答の受信制御、ＳＩＰプロトコルに基づくＣＡ１０６を介した相手先ＩＰ電話１０２との間の通話開始手順の制御を行う。
【００３０】
また、ＣＰＵ２０１は、相手先ＩＰ電話１０２との通話開始後に、その相手先ＩＰ電話１０２のＮＡＰＴＲレコードの問い合わせのＥＮＵＭサーバ１０５への送出、その問い合わせに対するＥＮＵＭサーバ１０５からの応答の受信制御を行う。
【００３１】
また、ＣＰＵ２０１は、受信したＮＡＰＴＲレコードに含まれるＩＰアドレスによる相手先ネットワークカメラ１０４内のＷＥＢサーバ１０４ＢのＵＲＬへのアクセス制御、そのアクセスに対するＷＥＢサーバ１０４Ｂからの応答の受信制御、その応答受信後のＷＥＢサーバ１０４Ｂからの静止画データの受信制御を行うことでブラウザ機能として動作する。なお、ＣＰＵ２０１は、画像通信手段として機能する。
【００３２】
メモリ２０２は、ＣＰＵ２０１が実行する音声通話制御プログラム等を記憶するＲＯＭ（Read Only Memory）としての機能と、ＣＰＵ２０１がプログラムを実行する際のワークメモリとして利用されるＲＡＭ（Random Access Memory）としての機能を有する。
【００３３】
ハンドセット２０３は、ユーザによるオフフック操作又はオンフック操作に応じてオフフック信号又はオンフック信号をＣＰＵ２０１に出力する。また、ハンドセット２０３は、マイクとスピーカを備え、相手先端末との間の通話開始時にユーザの送話音声をマイクにより送話音声信号に変換してＣＰＵ２０１に出力するとともに、ＣＰＵ２０１から入力される受話音声信号をスピーカにより受話音声として出力する。
【００３４】
表示装置２０４は、液晶パネル等により構成され、ＩＰ電話１０１の現在のステータスを表示するとともに、ＣＰＵ２０１から入力された発信側ＩＰ電話の電話番号等を表示する。また、表示装置２０４は、ブラウザ機能としてＣＰＵ２０１から入力された静止画データを表示する。なお、表示装置２０４は、表示手段として機能する。
【００３５】
ネットワークＩ／Ｆ２０５は、ＩＰ電話１０１が接続されるＩＰネットワーク１０７とのインターフェースであり、上記ＣＰＵ２０１の制御により、登録要求（Ｒｅｇｉｓｔｅｒ）のＣＡ１０６への送出処理、その登録要求に対するＣＡ１０６からの応答の受信処理、ＳＩＰプロトコルに基づくＣＡ１０６を介した相手先ＩＰ電話１０２との間の通話開始手順処理を実行する。
【００３６】
また、ネットワークＩ／Ｆ２０５は、上記ＣＰＵ２０１の制御により、相手先ＩＰ電話１０２のＮＡＰＴＲレコードの問い合わせのＥＮＵＭサーバ１０５への送出処理、その問い合わせに対するＥＮＵＭサーバ１０５からの応答の受信処理、受信したＮＡＰＴＲレコードに含まれるｈｔｔｐアドレスによる相手先ネットワークカメラ１０４内のＷＥＢサーバ１０４ＢのＵＲＬへのアクセス処理、そのアクセスに対するＷＥＢサーバ１０４Ｂからの応答の受信処理、その応答受信後のＷＥＢサーバ１０４Ｂからの静止画データの受信処理を実行する。なお、ネットワークＩ／Ｆ２０５は、送信手段及び受信手段として機能する。
【００３７】
図３は、本実施の形態のＩＰ電話１０１の外観を示す正面図である。なお、ＩＰ電話１０２についても同様の構成を有する。
【００３８】
図３において、ＩＰ電話１０１は、ユーザの音声を受けるマイクと、受話音声を出音するスピーカとを有するハンドセット２０３と、電話番号等を受け付けるテンキー３０２と、留守番電話機能を切り替える留守キー３０３と、音声を外部出力に切り替えるスピーカキー３０４と、ワンタッチ発信機能等に代表される各種機能が設定可能なファンクションキー３０５とを備えている。さらに、側面部にＩＰネットワーク１０７に接続されるＬＡＮインターフェース（ＬＡＮＩ／Ｆ）３０６と、公衆回線網に接続される公衆回線インターフェース（公衆回線Ｉ／Ｆ）３０７とを備えている。
【００３９】
図４は、本実施の形態１のＥＮＵＭサーバ１０５の構成を示すブロック図である。図４において、ＥＮＵＭサーバ１０５は、ＣＰＵ４０１、メモリ４０２、データベース４０３、入出力装置４０４及びネットワークＩ／Ｆ４０５により主に構成される。
【００４０】
ＣＰＵ４０１は、メモリ４０２に記憶された制御プログラムに基づいてＥＮＵＭサーバ１０５全体を制御する。また、ＣＰＵ４０１は、例えば、ＩＰ電話１０１から相手先ＩＰ電話１０２のＮＡＰＴＲレコードの問い合わせを受け付けると、後述するデータベース４０３に登録されたデータから該当するＮＡＰＴＲレコードを検索して問い合わせを送出してきたＩＰ電話１０１に返送する。なお、ＣＰＵ４０１は、検索手段として機能する。
【００４１】
メモリ４０２は、ＣＰＵ４０１が実行する制御プログラム等を記憶するＲＯＭとしての機能と、ＣＰＵ４０１がプログラムを実行する際のワークメモリとして利用されるＲＡＭとしての機能を有する。
【００４２】
データベース４０３は、ハードディスク装置等により構成され、上記ＮＡＰＴＲレコードを登録する。図５は、本実施の形態１に係るデータベース４０３に登録されたＮＡＰＴＲレコードの一例を示す図である。同図において、電話番号「０３１０００００００」及び「０３１００００００１」から得られるドメイン名に対応するＮＡＰＴＲレコードが登録された場合を示している。なお、データベース４０３は、記憶手段として機能する。
【００４３】
同図において、電話番号「０３１０００００００」から得られるドメイン名「０．０．０．０．０．０．０．１．３．１．８．ｅ１６４．ａｒｐａ」に対してＵＲＩ「！＾．＊＄！ｈｔｔｐ：／／ｗｗｗ．ｔｏｋｙｏ１．ｓｉｐ．ｃｏｍ／ｕｓｅｒ８１３１０００００００．ｈｔｍｌ」が対応付けられている。このＳｅｒｖｉｃｅフィールドにはｈｔｔｐ（hypertext transfer protocol ）プロトコルに対応可能であることを示す「Ｅ２Ｕ＋ｈｔｔｐ」が記述されている。
【００４４】
なお、ＵＲＩの記述のうち「ｈｔｔｐ：／／ｗｗｗ．ｔｏｋｙｏ１．ｓｉｐ．ｃｏｍ／ｕｓｅｒ８１３１０００００００．ｈｔｍｌ」は、ＷＥＢサーバ１０３Ｂのｈｔｔｐアドレスを示すものとする。
【００４５】
また、電話番号「０３１００００００１」から得られるドメイン名「１．０．０．０．０．０．０．１．３．１．８．ｅ１６４．ａｒｐａ」に対してＵＲＩ「！＾．＊＄！ｈｔｔｐ：／／ｗｗｗ．ｔｏｋｙｏ２．ｓｉｐ．ｃｏｍ／ｕｓｅｒ８１３１００００００１．ｈｔｍｌ」が対応付けられている。このＳｅｒｖｉｃｅフィールドにはｈｔｔｐプロトコルに対応可能であることを示す「Ｅ２Ｕ＋ｈｔｔｐ」が記述されている。
【００４６】
なお、ＵＲＩの記述のうち「ｈｔｔｐ：／／ｗｗｗ．ｔｏｋｙｏ２．ｓｉｐ．ｃｏｍ／ｕｓｅｒ８１３１００００００１．ｈｔｍｌ」は、ＷＥＢサーバ１０４Ｂのｈｔｔｐアドレスを示すものとする。
【００４７】
入出力装置４０４は、ＥＮＵＭサーバ１０５をメンテナンスする際に使用するキーボード等の入力デバイスと、メンテナンス情報を表示する表示装置等の出力デバイスとから構成される。ネットワークＩ／Ｆ４０５は、ＥＮＵＭサーバ１０５が接続されるＩＰネットワーク１０７とのインターフェースである。また、ネットワークＩ／Ｆ４０５は、上記ＣＰＵ２０１の制御により、ＩＰ電話１０１（１０２）から相手先ＩＰ電話１０２（１０１）のＮＡＰＴＲレコード（端末情報）の問い合わせを受信する受信処理と、検索したＮＡＰＴＲレコードをＩＰ電話１０１（１０２）に送信する送信処理を実行する。なお、ネットワークＩ／Ｆ４０５は、受信手段及び送信手段として機能する。
【００４８】
次に、図１のＩＰ電話システム１００において、ＩＰ電話１０１及びＩＰ電話１０２がＣＡ１０６に対して各端末を登録要求し、ＩＰ電話１０１がＣＡ１０６に対してＩＰ電話１０２への発呼を要求し、ＩＰ電話１０１とＩＰ電話１０２の間の通話開始後に、続いて、ＩＰ電話１０１とＩＰ電話１０２との間で画像通信を確立するまでの動作について、図６に示すシーケンス図を参照して説明する。
【００４９】
なお、図６の動作を説明する前提として、ＥＮＵＭサーバ１０５内のデータベース４０３には、図５に示したＩＰ電話１０１とＩＰ電話１０２の各ＮＡＰＴＲレコードが登録されているものとする。
【００５０】
また、図６において、ビデオキャプチャ処理として、カメラ１０３Ａは、ＩＰ電話１０１のユーザを撮影して、この静止画データをＷＥＢサーバ１０３Ｂに「ｕｓｅｒ８１３１０００００００．ｈｔｍｌ」というファイル名でアドレス「ｈｔｔｐ：／／ｗｗｗ．ｔｏｋｙｏ１．ｓｉｐ．ｃｏｍ」の配下に格納するとともに、定期的に静止画の更新を行うことで準動画画像を生成する。同様に、カメラ１０４ＡもＩＰ電話１０２のユーザを撮影して、この静止画データをＷＥＢサーバ１０４Ｂに「ｕｓｅｒ８１３１００００００１．ｈｔｍｌ」というファイル名でアドレス「ｈｔｔｐ：／／ｗｗｗ．ｔｏｋｙｏ２．ｓｉｐ．ｃｏｍ」の配下に格納するとともに、定期的に静止画の更新を行うことで準動画画像を生成する。
【００５１】
ＩＰ電話１０１がＩＰネットワーク１０７への接続等の設置処理が完了し、電源がオンされると、その電源オン後に、ＩＰ電話１０１内のＣＰＵ２０１は、自装置をＣＡ１０６に登録するため、「Ｒｅｇｉｓｔｅｒ」メッセージをＣＡ１０６に送出する（ステップＳ６０１）。「Ｒｅｇｉｓｔｅｒ」メッセージには、ＩＰ電話１０１の電話番号、ユーザＩＤ、パスワード等が含まれる。
【００５２】
ＣＡ１０６は、ＩＰ電話１０１から「Ｒｅｇｉｓｔｅｒ」メッセージを受け付けると、「Ｒｅｇｉｓｔｅｒ」メッセージに含まれる電話番号、ユーザＩＤ、パスワード等を登録し、「２００ＯＫ」メッセージをＩＰ電話１０１に返送する（ステップＳ６０２）。
【００５３】
次に、ＩＰ電話１０２がＩＰネットワーク１０６への接続等の設置処理が完了し、電源がオンされると、その電源オン後に、ＩＰ電話１０２内のＣＰＵ２０１は、自装置をＣＡ１０６に登録するため、「Ｒｅｇｉｓｔｅｒ」メッセージをＣＡ１０６に送出する（ステップＳ６０３）。この場合、「Ｒｅｇｉｓｔｅｒ」メッセージには、ＩＰ電話１０２のＳＩＰ電話番号、ユーザＩＤ、パスワード等が含まれる。
【００５４】
ＣＡ１０６は、ＩＰ電話１０２から「Ｒｅｇｉｓｔｅｒ」メッセージを受け付けると、「Ｒｅｇｉｓｔｅｒ」メッセージに含まれる電話番号、ユーザＩＤ、パスワード等を登録し、「２００ＯＫ」メッセージをＩＰ電話１０２に返送する（ステップＳ６０４）。
【００５５】
次に、ＩＰ電話１０１において、ユーザによりＩＰ電話１０２の電話番号がダイヤルされると、ＣＰＵ２０１は、そのＩＰ電話番号「０３１００００００１」を設定した「ＩＮＶＩＴＥ」メッセージを含む発呼をネットワークＩ／Ｆ２０５からＣＡ１０６に送出する（ステップＳ６０５）。ＣＡ１０６は、ＩＰ電話１０１から「ＩＮＶＩＴＥ」メッセージを含む発呼を受け付けると、この「ＩＮＶＩＴＥ」メッセージに含まれるＴｏヘッダから相手先であるＩＰ電話１０２のＩＰ電話番号を抽出し、そのＩＰ電話番号により「ＩＮＶＩＴＥ」メッセージを含む発呼をＩＰ電話１０２に送出する（ステップＳ６０６）。
【００５６】
ＩＰ電話１０２は、ＣＡ１０６から「ＩＮＶＩＴＥ」メッセージを含む発呼を受け付けると、呼び出し音を鳴動させて着信をユーザに知らせるとともに、「１８０ｒｉｎｇｉｎｇ」メッセージをＣＡ１０６に送出する（ステップＳ６０７）。ＣＡ１０６は、ＩＰ電話１０２から受け付けた「１８０ｒｉｎｇｉｎｇ」メッセージを発信側のＩＰ電話１０１に送出する（ステップＳ６０８）。
【００５７】
ＩＰ電話１０１は、ＩＰ電話１０２から「１８０ｒｉｎｇｉｎｇ」メッセージを受け付けると、ハンドセット２０３のスピーカからリングバックトーンが発音して、相手先のＩＰ電話１０２を呼び出していることをユーザに知らせる。そして、相手先のＩＰ電話１０２において、ユーザによるハンドセット２０３のオフフックが検出されると、ＩＰ電話１０２は、接続許可を示す「２００ＯＫ」メッセージをＣＡ１０６に送出する（ステップＳ６０９）。
【００５８】
ＣＡ１０６は、ＩＰ電話１０２から「２００ＯＫ」メッセージを受け付けると、その「２００ＯＫ」メッセージをＩＰ電話１０１に送出する（ステップＳ６１０）。ＩＰ電話１０１は、ＣＡ１０６から「２００ＯＫ」メッセージを受け付けると、「ＡＣＫ」メッセージをＣＡ１０６に送出する（ステップＳ６１１）。ＣＡ１０６は、ＩＰ電話１０１から受け付けた「ＡＣＫ」メッセージをＩＰ電話１０２に送出する（ステップＳ６１２）。
【００５９】
ＩＰ電話１０２は、ＣＡ１０６から「ＡＣＫ」メッセージを受け付けると、ＩＰ電話１０１とＩＰ電話１０２との間で通話可能状態となる。
【００６０】
次に、ＩＰ電話１０１は、ＩＰ電話１０２のＮＡＰＴＲレコードを問い合わせるため、ＩＰ電話１０２の電話番号を基に「ＩＰ電話１０２のＮＡＰＴＲ問合せ」メッセージをＥＮＵＭサーバ１０５に送出する（ステップＳ６１３）。ＥＮＵＭサーバ１０５は、ＩＰ電話１０１から「ＩＰ電話１０２のＮＡＰＴＲ問合せ」メッセージを受け付けると、ＩＰ電話１０２のＮＡＰＴＲレコードをデータベース４０３から検索し、その検索したＮＡＰＴＲレコードを含む「ＥＮＵＭ応答」メッセージをＩＰ電話１０１に返送する（ステップＳ６１４）。
【００６１】
ＩＰ電話１０１は、ＥＮＵＭサーバ１０５から「ＥＮＵＭ応答」メッセージを受け付けると、その「ＥＮＵＭ応答」メッセージに含まれるＮＡＰＴＲレコードからｈｔｔｐアドレス「ｈｔｔｐ：／／ｗｗｗ．ｔｏｋｙｏ２．ｓｉｐ．ｃｏｍ／ｕｓｅｒ８１３１００００００１．ｈｔｍｌ」を抽出し、このｈｔｔｐアドレスを含む「ＷＥＢ１０４ＢのＵＲＬアクセス要求」メッセージをＷＥＢサーバ１０４Ｂに送出する（ステップＳ６１５）。
【００６２】
ＷＥＢサーバ１０４Ｂは、ＩＰ電話１０１から「ＷＥＢ１０４ＢのＵＲＬアクセス要求」メッセージを受け付けると、「ＷＥＢ１０４Ｂのアクセス応答」メッセージをＩＰ電話１０１に返送する（ステップＳ６１６）。ここで、ＩＰ電話１０１は、ＷＥＢサーバ１０４Ｂから送信されるカメラ１０４Ａの撮影する静止画データのＨＴＭＬファイルの受信が可能となる。
【００６３】
次に、ＩＰ電話１０２は、ＩＰ電話１０１のＮＡＰＴＲレコードを問い合わせるため、ＩＰ電話１０１の電話番号を基に「ＩＰ電話１０１のＮＡＰＴＲ問合せ」メッセージをＥＮＵＭサーバ１０５に送出する（ステップＳ６１７）。ＥＮＵＭサーバ１０５は、ＩＰ電話１０２から「ＩＰ電話１０１のＮＡＰＴＲ問合せ」メッセージを受け付けると、ＩＰ電話１０１のＮＡＰＴＲレコードをデータベース４０３から検索し、その検索したＮＡＰＴＲレコードを含む「ＥＮＵＭ応答」メッセージをＩＰ電話１０２に返送する（ステップＳ６１８）。
【００６４】
ＩＰ電話１０２は、ＥＮＵＭサーバ１０５から「ＥＮＵＭ応答」メッセージを受け付けると、その「ＥＮＵＭ応答」メッセージに含まれるＮＡＰＴＲレコードからｈｔｔｐアドレス「ｈｔｔｐ：／／ｗｗｗ．ｔｏｋｙｏ１．ｓｉｐ．ｃｏｍ／ｕｓｅｒ８１３１０００００００．ｈｔｍｌ」を抽出し、このｈｔｔｐアドレスを含む「ＷＥＢ１０３ＢのＵＲＬアクセス要求」メッセージをＷＥＢサーバ１０３Ｂに送出する（ステップＳ６１９）。
【００６５】
ＷＥＢサーバ１０３Ｂは、ＩＰ電話１０２から「ＷＥＢ１０３ＢのＵＲＬアクセス要求」メッセージを受け付けると、「ＷＥＢ１０３Ｂのアクセス応答」メッセージをＩＰ電話１０２に返送する（ステップＳ６２０）。
【００６６】
以上により、ＩＰ電話１０２は、ＷＥＢサーバ１０３Ｂから送信されるカメラ１０３Ａの撮影する静止画データのＨＴＭＬファイルの受信が可能となり、ＩＰ電話１０１の表示装置２０４には、ネットワークカメラ１０４で撮影される静止画が順次表示され、ＩＰ電話１０２の表示装置２０４には、ネットワークカメラ１０３で撮影される静止画が順次表示されることになる。そして、ＩＰ電話１０１とＩＰ電話１０２の各ユーザは、相互のユーザの準動画像を見ながら通話することが可能になる。
【００６７】
次に、図６のシーケンス図に示したＩＰ電話１０１，１０２の動作について、図７に示すフローチャートを参照して説明する。
【００６８】
ＩＰ電話１０１及びＩＰ電話１０２がＩＰネットワーク１０７への接続等の設置処理が完了し、それぞれ電源がオンされると（ステップＳ７０１）、その電源オン後に、ＩＰ電話１０１及びＩＰ電話１０２内の各ＣＰＵ２０１は、自装置の端末情報のＣＡ１０６に登録処理（上記ステップＳ６０１〜ステップＳ６０４参照）を実行する（ステップＳ７０２）。各端末情報には、ＩＰ電話１０１、ＩＰ電話１０２の電話番号、ユーザＩＤ、パスワード等が含まれる。
【００６９】
次に、ＩＰ電話１０１において、ユーザによりＩＰ電話１０２の電話番号がダイヤルされると、ＩＰ電話１０１とＩＰ電話１０２の間で通話処理（上記ステップＳ６０５〜ステップＳ６１２参照）を実行する（ステップＳ７０３）。そして、ＩＰ電話１０１とＩＰ電話１０２との間で通話を開始する（ステップＳ７０４）。
【００７０】
次に、ＩＰ電話１０１は、ＩＰ電話１０２のＮＡＰＴＲレコードを問い合わせるため、「ＩＰ電話１０２のＮＡＰＴＲ問合せ」メッセージをＥＮＵＭサーバ１０５に送出して、ＩＰ電話１０２のＮＡＰＴＲレコードを取得するＮＡＰＴＲ取得処理（上記ステップＳ６１３，Ｓ６１４参照）を実行する（ステップＳ７０５）。
【００７１】
ＩＰ電話１０１は、ＥＮＵＭサーバ１０５から受け付ける「ＥＮＵＭ応答」メッセージからＮＡＰＴＲレコードを取得すると、そのＮＡＰＴＲレコードに、ＩＰ電話１０２が接続するＷＥＢサーバ１０４ＢのＵＲＬが含まれるか否かを判別する（ステップＳ７０６）。ＩＰ電話１０１は、ＷＥＢサーバ１０４ＢのＵＲＬが含まれていると判別した場合は（ステップＳ７０６：ＹＥＳ）、ステップＳ７０７に移行する。
【００７２】
ＩＰ電話１０１は、ＮＡＰＴＲレコードに含まれるＷＥＢサーバ１０４Ｂのｈｔｔｐアドレス「ｈｔｔｐ：／／ｗｗｗ．ｔｏｋｙｏ２．ｓｉｐ．ｃｏｍ／ｕｓｅｒ８１３１００００００１．ｈｔｍｌ」を基に、ＷＥＢサーバ１０４Ｂにアクセスする（ステップＳ７０７）。ここで、ＩＰ電話１０１は、ＷＥＢサーバ１０４Ｂから送信されるカメラ１０４Ａの撮影する静止画データのＨＴＭＬファイルの受信が可能となる。
【００７３】
次に、ＩＰ電話１０２は、ＩＰ電話１０１のＮＡＰＴＲレコードを問い合わせるため、「ＩＰ電話１０１のＮＡＰＴＲ問合せ」メッセージをＥＮＵＭサーバ１０５に送出して、ＩＰ電話１０１のＮＡＰＴＲレコードを取得するＮＡＰＴＲ取得処理（上記ステップＳ６１７，Ｓ６１８）を実行する（ステップＳ７０８）。
【００７４】
ＩＰ電話１０２は、ＥＮＵＭサーバ１０５から受け付ける「ＥＮＵＭ応答」メッセージからＮＡＰＴＲレコードを取得すると、そのＮＡＰＴＲレコードに、ＩＰ電話１０１が接続するＷＥＢサーバ１０３ＢのＵＲＬが含まれるか否かを判別する（ステップＳ７０９）。ＩＰ電話１０２は、ＷＥＢサーバ１０３ＢのＵＲＬが含まれていると判別した場合は（ステップＳ７０９：ＹＥＳ）、ステップＳ７１０に移行する。
【００７５】
ＩＰ電話１０２は、ＮＡＰＴＲレコードに含まれるＷＥＢサーバ１０３Ｂのｈｔｔｐアドレス「ｈｔｔｐ：／／ｗｗｗ．ｔｏｋｙｏ１．ｓｉｐ．ｃｏｍ／ｕｓｅｒ８１３１０００００００．ｈｔｍｌ」を基に、ＷＥＢサーバ１０３Ｂにアクセスする（ステップＳ７１０）。ここで、ＩＰ電話１０２は、ＷＥＢサーバ１０３Ｂから送信されるカメラ１０３Ａの撮影する静止画データのＨＴＭＬファイルの受信が可能となる。
【００７６】
また、ステップＳ７０６において、ＩＰ電話１０１は、ＷＥＢサーバ１０４ＢのＵＲＬが含まれていないと判別した場合は（ステップＳ７０６：ＮＯ）、処理を中断して終了する。また、ステップＳ７０９において、ＩＰ電話１０２は、ＷＥＢサーバ１０３ＢのＵＲＬが含まれていないと判別した場合は（ステップＳ７０９：ＮＯ）、処理を中断して終了する。
【００７７】
以上により、ＩＰ電話１０１とＩＰ電話１０２の間の画像通信が確立し（ステップＳ７１１）、ＩＰ電話１０１の表示装置２０４には、ネットワークカメラ１０４で撮影される静止画が順次表示され、ＩＰ電話１０２の表示装置２０４には、ネットワークカメラ１０３で撮影される静止画が順次表示されることになる。そして、ＩＰ電話１０１とＩＰ電話１０２の各ユーザは、相互のユーザの準動画像を見ながら通話するビジュアルコミュニケーションが可能になる。
【００７８】
以上のように、本実施の形態１のＩＰ電話システム１００では、ＩＰ電話１０１（１０２）がＥＮＵＭサーバ１０５からＷＥＢサーバ１０４Ｂ（１０３Ｂ）のＵＲＬを取得して、ネットワークカメラ１０４（１０３）で撮影される静止画データの通信を開始する手順を実現した。
【００７９】
したがって、ＩＰ電話システム１００に動画符号化・復号化処理のハードウェアを追加することなく、また、ＩＰ電話１０１（１０２）に特別な動画符号化・復号化処理のソフトウェアを追加することなくビジュアルコミュニケーションを安価に実現することができる。
【００８０】
なお、上記実施の形態１では、ＩＰ電話１０１からＩＰ電話１０２に発呼する場合を説明したが、ＩＰ電話１０２からＩＰ電話１０１に発呼する場合も同様に上記シーケンス及びフローを適用可能である。
【００８１】
（実施の形態２）
本実施の形態２は、ＤＮＳサーバが接続されているＩＰ電話システムにおいて、ビジュアルコミュニケーションを実現する場合を説明する。
【００８２】
図８は、本実施の形態２のＩＰ電話システム９００の全体構成を示す図である。図８において、上記図１に示したＩＰ電話システム１００と同一の構成部分については、同一符号を付しており、その同一構成部分の説明は省略する。
【００８３】
図８に示すＩＰ電話システム９００において、図１のＩＰ電話システム１００に接続されたＣＡ１０６の代わりにＤＮＳサーバ９０１が接続されていることと、ＩＰ電話１０１（１０２）にＤＮＳサーバ９０１へのアクセス機能が追加されたことが、実施の形態１と異なる部分である。
【００８４】
ＤＮＳ（Domain Name System）サーバ９０１は、ＮＡＰＴＲレコードに指定されるＵＲＩとＩＰアドレスとが対応付けて登録されるデータベースを備える。ＤＮＳサーバ９０１は、ＩＰ電話１０１（１０２）の問い合わせに応じて、データベースに登録されたＩＰアドレスをＩＰ電話１０１（１０２）に返送する。
【００８５】
図９は、本実施の形態２に係るＥＮＵＭサーバ１０５のデータベース４０３に登録されたＮＡＰＴＲレコードの一例を示す図である。同図において、電話番号「０３１０００００００」及び「０３１００００００１」から得られるドメイン名に対応するＮＡＰＴＲレコードが登録された場合を示している。
【００８６】
同図において、電話番号「０３１０００００００」から得られるドメイン名「０．０．０．０．０．０．０．１．３．１．８．ｅ１６４．ａｒｐａ」に対してＵＲＩ「！＾．＊＄！ｓｉｐ：８１３１０００００００．ｔｏｋｙｏ．ｓｉｐ．ｊｐ」と「！＾．＊＄！ｈｔｔｐ：／／ｗｗｗ．ｔｏｋｙｏ１．ｓｉｐ．ｃｏｍ／ｕｓｅｒ８１３１０００００００．ｈｔｍｌ」が対応付けられている。前者のＳｅｒｖｉｃｅフィールドにはＳＩＰ（Session Initiation Protocol ）プロトコルに対応可能であることを示す「Ｅ２Ｕ＋ｓｉｐ」が記述され、後者のＳｅｒｖｉｃｅフィールドにはｈｔｔｐ（hypertext transfer protocol ）プロトコルに対応可能であることを示す「Ｅ２Ｕ＋ｈｔｔｐ」が記述されている。
【００８７】
なお、ＵＲＩの記述のうち「ｈｔｔｐ：／／ｗｗｗ．ｔｏｋｙｏ１．ｓｉｐ．ｃｏｍ／ｕｓｅｒ８１３１０００００００．ｈｔｍｌ」は、ＷＥＢサーバ１０３Ｂのｈｔｔｐアドレスを示すものとする。
【００８８】
また、電話番号「０３１００００００１」から得られるドメイン名「１．０．０．０．０．０．０．１．３．１．８．ｅ１６４．ａｒｐａ」に対してＵＲＩ「！＾．＊＄！ｓｉｐ：８１３１００００００１．ｔｏｋｙｏ．ｓｉｐ．ｊｐ」と「！＾．＊＄！ｈｔｔｐ：／／ｗｗｗ．ｔｏｋｙｏ２．ｓｉｐ．ｃｏｍ／ｕｓｅｒ８１３１００００００１．ｈｔｍｌ」が対応付けられている。前者のＳｅｒｖｉｃｅフィールドにはＳＩＰプロトコルに対応可能であることを示す「Ｅ２Ｕ＋ｓｉｐ」が記述され、後者のＳｅｒｖｉｃｅフィールドにはｈｔｔｐプロトコルに対応可能であることを示す「Ｅ２Ｕ＋ｈｔｔｐ」が記述されている。
【００８９】
なお、ＵＲＩの記述のうち「ｈｔｔｐ：／／ｗｗｗ．ｔｏｋｙｏ２．ｓｉｐ．ｃｏｍ／ｕｓｅｒ８１３１００００００１．ｈｔｍｌ」は、ＷＥＢサーバ１０４Ｂのｈｔｔｐアドレスを示すものとする。
【００９０】
次に、図８のＩＰ電話システム９００において、ＩＰ電話１０１がＥＮＵＭサーバ１０５に対してＩＰ電話１０２のＮＡＰＴＲレコードを問い合わせ、その応答によりＤＮＳサーバ９０１にＩＰ電話１０２のＩＰアドレスを問い合わせ、そのＩＰアドレスによりＩＰ電話１０１とＩＰ電話１０２の間の通話開始後に、続いて、ＩＰ電話１０１とＩＰ電話１０２との間で画像通信を確立するまでの動作について、図１０に示すシーケンス図を参照して説明する。
【００９１】
なお、図１０の動作を説明する前提として、ＥＮＵＭサーバ１０５内のデータベース４０３には、図９に示したＩＰ電話１０１とＩＰ電話１０２の各ＮＡＰＴＲレコードが登録されているものとする。また、ビデオキャプチャ処理として、カメラ１０３ＡはＩＰ電話１０１のユーザを撮影して、この静止画データをＷｅｂサーバ１０３Ｂに格納するとともに定期的に静止画の更新を行い、同様に、カメラ１０４ＡもＩＰ電話１０２のユーザを撮影して、この静止画データをＷｅｂサーバ１０４Ｂに格納するとともに定期的に静止画の更新を行っているものとする。
【００９２】
ＩＰ電話１０１において、ユーザによりＩＰ電話１０２の電話番号がダイヤルされると、ＣＰＵ２０１は、そのＩＰ電話番号「０３１００００００１」を設定した「ＩＰ電話１０２のＮＡＰＴＲ問合せ」メッセージをＥＮＵＭサーバ１０５に送出する（ステップＳ１００１）。
【００９３】
ＥＮＵＭサーバ１０５は、ＩＰ電話１０１から「ＩＰ電話１０２のＮＡＰＴＲ問合せ」メッセージを受け付けると、その「ＩＰ電話１０２のＮＡＰＴＲ問合せ」メッセージに含まれるＩＰ電話番号「０３１００００００１」を参照して、データベース４０３から該当するＮＡＰＴＲレコードを検索する。そして、ＥＮＵＭサーバ１０５は、検索したＮＡＰＴＲレコードを含む「ＥＮＵＭ応答」メッセージをＩＰ電話１０１に返送する（ステップＳ１００２）。
【００９４】
この場合、図９に示したドメイン名「１．０．０．０．０．０．０．１．３．１．８．ｅ１６４．ａｒｐａ」に対応したＵＲＩ「！＾．＊＄！ｓｉｐ：８１３１００００００１．ｔｏｋｙｏ．ｓｉｐ．ｊｐ」と「！＾．＊＄！ｈｔｔｐ：／／ｗｗｗ．ｔｏｋｙｏ２．ｓｉｐ．ｃｏｍ／ｕｓｅｒ８１３１００００００１．ｈｔｍｌ」がＩＰ電話１０１に返送される。
【００９５】
次に、ＩＰ電話１０１は、ＥＮＵＭサーバ１０５から「ＥＮＵＭ応答」メッセージを受け付けると、その「ＥＮＵＭ応答」メッセージに含まれるＮＡＰＴＲレコードからＵＲＩを抽出し、そのＵＲＩを含む「ＩＰ電話１０２のＩＰアドレス問合せ」メッセージをＤＮＳサーバ９０１に送出する（ステップＳ１００３）。
【００９６】
ＤＮＳサーバ９０１は、ＩＰ電話１０１から「ＩＰ電話１０２のＩＰアドレス問合せ」メッセージを受け付けると、その「ＩＰ電話１０２のＩＰアドレス問合せ」メッセージに含まれるＵＲＩを参照してデータベースからＩＰ電話１０２のＩＰアドレスを検索し、そのＩＰアドレスを含む「ＩＰアドレス応答」メッセージをＩＰ電話１０１に返送する（ステップＳ１００４）。
【００９７】
次に、ＩＰ電話１０１は、ＤＮＳサーバ９０１から「ＩＰアドレス応答」メッセージを受け付けると、その「ＩＰアドレス応答」メッセージに含まれるＩＰアドレスに基づいて、「ＩＮＶＩＴＥ」メッセージを含む発呼をＩＰ電話１０２に送出する（ステップＳ１００５）。ＩＰ電話１０２は、ＩＰ電話１０１から「ＩＮＶＩＴＥ」メッセージを含む発呼を受け付けると、呼び出し音を鳴動させて着信をユーザに知らせるとともに、「１８０ｒｉｎｇｉｎｇ」メッセージをＩＰ電話１０１に返送する（ステップＳ１００６）。
【００９８】
次に、ＩＰ電話１０１は、ＩＰ電話１０２から「１８０ｒｉｎｇｉｎｇ」メッセージを受け付けると、ハンドセット２０３のスピーカからリングバックトーンが発音して、相手先のＩＰ電話１０２を呼び出していることをユーザに知らせる。そして、相手先のＩＰ電話１０２において、ユーザによるハンドセット２０３のオフフックが検出されると、ＩＰ電話１０２は、接続許可を示す「２００ＯＫ」メッセージをＩＰ電話１０１に送出する（ステップＳ１００７）。
【００９９】
ＩＰ電話１０１は、ＩＰ電話１０２から「２００ＯＫ」メッセージを受け付けると、「ＡＣＫ」メッセージをＩＰ電話１０２に送出する（ステップＳ１００８）。ＩＰ電話１０２は、ＩＰ電話１０１から「ＡＣＫ」メッセージを受け付けると、ＩＰ電話１０１とＩＰ電話１０２との間で通話可能状態となる。
【０１００】
次に、ＩＰ電話１０１は、上記ステップＳ１００２においてＥＮＵＭサーバ１０５から取得したＩＰ電話１０２のＮＡＰＴＲレコードからｈｔｔｐアドレス「ｈｔｔｐ：／／ｗｗｗ．ｔｏｋｙｏ２．ｓｉｐ．ｃｏｍ／ｕｓｅｒ８１３１００００００１．ｈｔｍｌ」を抽出し、このｈｔｔｐアドレスを含む「ＷＥＢ１０４ＢのＵＲＬアクセス要求」メッセージをＷＥＢサーバ１０４Ｂに送出する（ステップＳ１００９）。
【０１０１】
ＷＥＢサーバ１０４Ｂは、ＩＰ電話１０１から「ＷＥＢ１０４ＢのＵＲＬアクセス要求」メッセージを受け付けると、「ＷＥＢ１０４Ｂのアクセス応答」メッセージをＩＰ電話１０１に返送する（ステップＳ１０１０）。ここで、ＩＰ電話１０１は、ＷＥＢサーバ１０４Ｂから送信されるカメラ１０４Ａの撮影する静止画データのＨＴＭＬファイルの受信が可能となる。
【０１０２】
次に、ＩＰ電話１０２は、ＩＰ電話１０１の電話番号を基に「ＩＰ電話１０１のＮＡＰＴＲ問合せ」メッセージをＥＮＵＭサーバ１０５に送出する（ステップＳ１０１１）。ＥＮＵＭサーバ１０５は、ＩＰ電話１０２から「ＩＰ電話１０１のＮＡＰＴＲ問合せ」メッセージを受け付けると、データベース４０３から該当するＮＡＰＴＲレコードを検索する。そして、ＥＮＵＭサーバ１０５は、検索したＮＡＰＴＲレコードを含む「ＥＮＵＭ応答」メッセージをＩＰ電話１０２に返送する（ステップＳ１０１２）。
【０１０３】
この場合、図９に示したドメイン名「０．０．０．０．０．０．０．１．３．１．８．ｅ１６４．ａｒｐａ」に対応したＵＲＩ「！＾．＊＄！ｓｉｐ：８１３１０００００００．ｔｏｋｙｏ１．ｓｉｐ．ｊｐ」と「！＾．＊＄！ｈｔｔｐ：／／ｗｗｗ．ｔｏｋｙｏ１．ｓｉｐ．ｃｏｍ／ｕｓｅｒ８１３１０００００００．ｈｔｍｌ」がＩＰ電話１０２に返送される。
【０１０４】
次に、ＩＰ電話１０２は、ＥＮＵＭサーバ１０５から「ＥＮＵＭ応答」メッセージを受け付けると、その「ＥＮＵＭ応答」メッセージに含まれるＮＡＰＴＲレコードからｈｔｔｐアドレス「ｈｔｔｐ：／／ｗｗｗ．ｔｏｋｙｏ１．ｓｉｐ．ｃｏｍ／ｕｓｅｒ８１３１０００００００．ｈｔｍｌ」を抽出し、このｈｔｔｐアドレスを含む「ＷＥＢ１０３ＢのＵＲＬアクセス要求」メッセージをＷＥＢサーバ１０３Ｂに送出する（ステップＳ１０１３）。
【０１０５】
ＷＥＢサーバ１０３Ｂは、ＩＰ電話１０１から「ＷＥＢ１０３ＢのＵＲＬアクセス要求」メッセージを受け付けると、「ＷＥＢ１０３Ｂのアクセス応答」メッセージをＩＰ電話１０２に返送する（ステップＳ１０１４）。
【０１０６】
以上により、ＩＰ電話１０２は、ＷＥＢサーバ１０３Ｂから送信されるカメラ１０３Ａの撮影する静止画データのＨＴＭＬファイルの受信が可能となり、ＩＰ電話１０１の表示装置２０４には、ネットワークカメラ１０４で撮影される静止画が順次表示され、ＩＰ電話１０２の表示装置２０４には、ネットワークカメラ１０３で撮影される静止画が順次表示されることになる。そして、ＩＰ電話１０１とＩＰ電話１０２の各ユーザは、相互のユーザの準動画像を見ながら通話するビジュアルコミュニケーションが可能になる。
【０１０７】
次に、図１０のシーケンス図に示したＩＰ電話１０１，１０２の動作について、図１１及び図１２に示すフローチャートを参照して説明する。図１１は、ＩＰ電話１０１の動作を示すフローチャートであり、図１２は、ＩＰ電話１０２の動作を示すフローチャートである。
【０１０８】
ＩＰ電話１０１において、ユーザによりＩＰ電話１０２の電話番号がダイヤルされると（ステップＳ１１０１）、ＩＰ電話１０２のＮＡＰＴＲレコードを問い合わせるため「ＩＰ電話１０２のＮＡＰＴＲ問合せ」メッセージをＥＮＵＭサーバ１０５に送出して、ＩＰ電話１０２のＮＡＰＴＲレコードを取得するＮＡＰＴＲ取得処理（上記ステップＳ１００１，Ｓ１００２）を実行する（ステップＳ１１０２）。
【０１０９】
ＩＰ電話１０１は、ＥＮＵＭサーバ１０５から受け付ける「ＥＮＵＭ応答」メッセージからＮＡＰＴＲレコードを取得すると、そのＮＡＰＴＲレコードからＵＲＩを抽出し、そのＵＲＩを含む「ＩＰ電話１０２のＩＰアドレス問合せ」メッセージをＤＮＳサーバ９０１に送出して、ＩＰ電話１０２のＩＰアドレスを取得するＩＰアドレス取得処理（上記ステップＳ１００３，Ｓ１００４）を実行する（ステップＳ１１０３）。
【０１１０】
ＩＰ電話１０１は、ＤＮＳサーバ９０１から受け付ける「ＩＰアドレス応答」メッセージからＩＰ電話１０２のＩＰアドレスを取得すると、そのＩＰアドレスに基づいて、「ＩＮＶＩＴＥ」メッセージを含む発呼をＩＰ電話１０２に送出して、ＩＰ電話１０２に対する発信処理（上記ステップＳ１００５〜ステップＳ１００８）する（ステップＳ１１０４）。そして、ＩＰ電話１０１とＩＰ電話１０２との間で通話を開始する（ステップＳ１１０５）。
【０１１１】
次に、ＩＰ電話１０１は、上記ステップＳ１１０２においてＥＮＵＭサーバ１０５から取得したＮＡＰＴＲレコードに、ＩＰ電話１０２が接続するＷＥＢサーバ１０４ＢのＵＲＬが含まれるか否かを判別する（ステップＳ１１０６）。ＩＰ電話１０１は、ＷＥＢサーバ１０４ＢのＵＲＬが含まれていると判別した場合は（ステップＳ１１０６：ＹＥＳ）、ステップＳ１１０７に移行する。
【０１１２】
ＩＰ電話１０１は、ＮＡＰＴＲレコードに含まれるＷＥＢサーバ１０４ＢのＵＲＬ「ｈｔｔｐ：／／ｗｗｗ．ｔｏｋｙｏ２．ｓｉｐ．ｃｏｍ／ｕｓｅｒ８１３１００００００１．ｈｔｍｌ」を基に、ＷＥＢサーバ１０４Ｂにアクセスする（ステップＳ１１０７）。ここで、ＩＰ電話１０１は、ＷＥＢサーバ１０４Ｂから送信される静止画データのＨＴＭＬファイルの受信が可能となる（ステップＳ１１０８）。
【０１１３】
また、ステップＳ１１０６において、ＩＰ電話１０１は、ＷＥＢサーバ１０４ＢのＵＲＬが含まれていないと判別した場合は（ステップＳ１１０６：ＮＯ）、処理を中断して終了する。
【０１１４】
次に、図１２において、ＩＰ電話１０２は、ＩＰ電話１０１からの着信を受け付けると（ステップＳ１２０１）、ＩＰ電話１０１との間の通話を開始する（ステップＳ１２０２）。次に、ＩＰ電話１０２は、ＩＰ電話１０１のＮＡＰＴＲレコードを問い合わせるため「ＩＰ電話１０１のＮＡＰＴＲ問合せ」メッセージをＥＮＵＭサーバ１０５に送出して、ＩＰ電話１０１のＮＡＰＴＲレコードを取得するＮＡＰＴＲ取得処理（上記ステップＳ１０１１，Ｓ１０１２）を実行する（ステップＳ１２０３）。
【０１１５】
ＩＰ電話１０２は、ＥＮＵＭサーバ１０５から受け付ける「ＥＮＵＭ応答」メッセージからＮＡＰＴＲレコードを取得すると、そのＮＡＰＴＲレコードに、ＩＰ電話１０１が接続するＷＥＢサーバ１０３ＢのＵＲＬが含まれているか否かを判別する（ステップＳ１２０４）。ＩＰ電話１０２は、ＷＥＢサーバ１０３ＢのＵＲＬが含まれていると判別した場合は（ステップＳ１２０４：ＹＥＳ）、ステップＳ１２０５に移行する。
【０１１６】
ＩＰ電話１０２は、ＮＡＰＴＲレコードに含まれるＷＥＢサーバ１０３ＢのＵＲＬ「ｈｔｔｐ：／／ｗｗｗ．ｔｏｋｙｏ１．ｓｉｐ．ｃｏｍ／ｕｓｅｒ８１３１０００００００．ｈｔｍｌ」を基に、ＷＥＢサーバ１０３Ｂにアクセスする（ステップＳ１２０５）。ここで、ＩＰ電話１０２は、ＷＥＢサーバ１０３Ｂから送信される静止画データのＨＴＭＬファイルの受信が可能となる（ステップＳ１２０６）。
【０１１７】
また、ステップＳ１２０４において、ＩＰ電話１０２は、ＷＥＢサーバ１０３ＢのＵＲＬが含まれていないと判別した場合は（ステップＳ１２０４：ＮＯ）、処理を中断して終了する。
【０１１８】
以上により、ＩＰ電話１０２は、ＷＥＢサーバ１０３Ｂから送信される静止画データのＨＴＭＬファイルの受信が可能となり、ＩＰ電話１０１の表示装置２０４には、ネットワークカメラ１０４で撮影される静止画が順次表示され、ＩＰ電話１０２の表示装置２０４には、ネットワークカメラ１０３で撮影される静止画が順次表示されることになる。
【０１１９】
以上のように、本実施の形態２のＩＰ電話システム９００では、ＩＰ電話１０１がＥＮＵＭサーバ１０５からＩＰ電話１０２のＮＡＰＴＲレコードを取得し、そのＮＡＰＴＲレコードに含まれるＵＲＩによりＤＮＳサーバ９０１からＩＰ電話１０２のＩＰアドレスを取得してＩＰ電話１０２との間の通話を確立した後、ＥＮＵＭサーバ１０５から取得したＷＥＢサーバ１０４ＢのＵＲＬによりネットワークカメラ１０４で撮影される画像データの通信を開始することにより準動画通信を確立する手順を実現した。
【０１２０】
したがって、ＤＮＳサーバ９０１を接続したＩＰ電話システム９００に動画符号化・復号化ハードウェアを追加することなく、また、ＩＰ電話１０１（１０２）に特別な動画符号化・復号化ソフトウェアを追加することなくビジュアルコミュニケーションを安価に実現することができる。
【０１２１】
なお、上記実施の形態１では、ＩＰ電話１０１からＩＰ電話１０２に発呼する場合を説明したが、ＩＰ電話１０２からＩＰ電話１０１に発呼する場合も同様に上記シーケンス及びフローを適用可能である。
【０１２２】
（実施の形態３）
本実施の形態３は、ＷＥＢブラウザをベースにした電話番号入力機能とＥＮＵＭクライアント機能を具備したパーソナルコンピュータがＩＰ電話１０１，１０２の双方に接続されているＩＰ電話システムにおいて、ビジュアルコミュニケーションを実現する場合を説明する。
【０１２３】
図１３は、本実施の形態３のＩＰ電話システム１４００の全体構成を示す図である。図１３において、上記図１に示したＩＰ電話システム１００及び上記図８に示したＩＰ電話システム９００と同一の構成部分については、同一符号を付しており、その同一構成部分の説明は省略する。
【０１２４】
図１３に示すＩＰ電話システム１４００において、図８のＩＰ電話システム９００にＷＥＢブラウザをベースにした電話番号入力機能とＥＮＵＭクライアント機能を具備したパーソナルコンピュータ（以下、ＰＣという）１４０１，１４０２を更に接続されていることと、ＩＰ電話１０１（１０２）にＰＣ１４０１，１４０２との通信機能が追加されたことが、実施の形態２と異なる部分である。
【０１２５】
図１４は、本実施の形態のＰＣ１４０１の構成を示すブロック図である。なお、ＰＣ１４０２もＰＣ１４０１と同様の構成を有する。
【０１２６】
図１４において、ＰＣ１４０１は、表示部５０１、ブラウザ部５０２、電話番号入力部５０３、ＥＮＵＭクライアント部５０４、ペアＩＰ電話設定部５０５及びペアＩＰ電話通信部５０６により主に構成されている。
【０１２７】
表示部５０１は、液晶パネル等により構成され、ブラウザ部５０２から入力されるＩＰ電話操作画面データ、電話帳データ、静止画データ、電話番号入力部５０３から入力される電話番号データに基づいて、ＷＥＢブラウザベースのＩＰ電話操作画面、電話帳、準動画画面及び電話番号等を所定のレイアウトで表示する。なお、表示部５０１は、表示手段として機能する。
【０１２８】
ブラウザ部５０２は、ＩＰネットワーク１０７を介して相手先ＩＰ電話１０２のＷＥＢサーバ１０４Ｂから静止画データのＨＴＭＬファイルを受信する通信機能と、ＷＥＢブラウザ機能をベースにしたＩＰ電話操作画面データと、電話帳データと、受信したＨＴＭＬファイルから静止画データを表示部５０１に出力してＩＰ電話操作画面、電話帳、準動画電話画面を表示させる電話画面表示機能等を有する。なお、ブラウザ部５０２は、画像通信手段として機能する。
【０１２９】
電話番号入力部５０３は、表示部５０１に表示される電話帳から電話番号を選択する操作や、直接電話番号を入力する際にユーザが操作する入力デバイスであり、その操作信号を表示部５０１に出力して選択された電話番号や入力された電話番号を表示部５０１に表示させる電話番号表示機能と、選択又は入力された電話番号をＥＮＵＭクライアント部５０４とペアＩＰ電話通信部５０６に入力する電話番号入力機能を有する。
【０１３０】
ＥＮＵＭクライアント部５０４は、ＥＮＵＭクライアントとして動作する機能を有し、ＩＰネットワーク１０７を介して相手先ＩＰ電話１０２の「ＮＡＰＴＲ問合せ」メッセージをＥＮＵＭサーバ１０５に送信し、ＥＮＵＭサーバ１０５から返送される「ＮＡＰＴＲ応答」メッセージに含まれる相手先ＩＰ電話１０２のＩＰアドレスを取得するＩＰアドレス取得処理を実行する。なお、ＥＮＵＭクライアント部５０４は、問合せ送信手段及び受信手段として機能する。
【０１３１】
ペアＩＰ電話設定部５０５は、ＰＣ１４０１とペアリングするＩＰ電話１０１のＩＰ電話情報を設定するメモリである。ペアＩＰ電話通信部５０６は、電話番号入力部５０３から電話番号が入力されると、ペアＩＰ電話設定部５０５に設定されたＩＰ電話情報に対応するＩＰ電話１０１に対して電話番号を通知して、相手先ＩＰ電話への発呼処理を開始させるＩＰ電話通信機能を有する。なお、ペアＩＰ電話通信部５０６は、電話番号送信手段として機能する。
【０１３２】
また、ＥＮＵＭサーバ１０５は、図９に示したＩＰ電話１０１とＩＰ電話１０２のＮＡＰＴＲレコードをデータベース４０３に格納している。
【０１３３】
次に、図１４のＩＰ電話システム１４００において、上記電話番号入力機能によりＰＣ１４０１において電話番号を入力すると、上記のように予め設定されたＩＰ電話１０１に相手先電話番号が通知され、ＩＰ電話１０１は発呼動作を開始する。ＩＰ電話１０１は、ＥＮＵＭサーバ１０５に対してＩＰ電話１０２のＮＡＰＴＲレコードを問い合わせ、その応答によりＤＮＳサーバ９０１にＩＰ電話１０２のＩＰアドレスを問い合わせ、そのＩＰアドレスによりＩＰ電話１０１とＩＰ電話１０２の間の通話開始後に、続いて、ＰＣ１４０１とＰＣ１４０２との間で画像通信を確立するまでの動作について、図１５に示すシーケンス図を参照して説明する。
【０１３４】
なお、図１５の動作を説明する前提として、ＥＮＵＭサーバ１０５内のデータベース４０３には、図９に示したＩＰ電話１０１とＩＰ電話１０２の各ＮＡＰＴＲレコードが登録されているものとする。
【０１３５】
また、ビデオキャプチャ処理として、カメラ１０３ＡはＩＰ電話１０１のユーザを撮影して、この静止画データをＷｅｂサーバ１０３Ｂに格納するとともに定期的に静止画の更新を行い、同様に、カメラ１０４ＡもＩＰ電話１０２のユーザを撮影して、この静止画データをＷｅｂサーバ１０４Ｂに格納するとともに定期的に静止画の更新を行っているものとする。
【０１３６】
ＰＣ１４０１において、電話帳のＩＰ電話１０２の電話番号「０３１００００００１」がユーザにより入力されると、ＰＣ１４０１は、その電話番号「０３１００００００１」を、予めＰＣ１４０１のペアＩＰ電話設定部５０５で設定されたＩＰ電話１０１に送出する（ステップＳ１５０１）。ＰＣ１４０１のユーザは、通話先を選択した後は、ＩＰ電話１０１のハンドセット２０３をオフフックして通話相手が出るのを待つことになる。
【０１３７】
ＩＰ電話１０１は、ＰＣ１４０１から相手電話番号を受け付けると、応答メッセージをＰＣ１４０１に返送する（ステップＳ１５０２）。また、ＩＰ電話１０１は、相手電話番号「０３１００００００１」を設定した「ＩＰ電話１０２のＮＡＰＴＲ問合せ」メッセージをＥＮＵＭサーバ１０５に送出する（ステップＳ１５０３）。
【０１３８】
ＥＮＵＭサーバ１０５は、ＩＰ電話１０１から「ＩＰ電話１０２のＮＡＰＴＲ問合せ」メッセージを受け付けると、その「ＩＰ電話１０２のＮＡＰＴＲ問合せ」メッセージに含まれる電話番号「０３１００００００１」を参照して、データベース４０３から該当するＮＡＰＴＲレコードを検索する。そして、ＥＮＵＭサーバ１０５は、検索したＮＡＰＴＲレコードを含む「ＥＮＵＭ応答」メッセージをＩＰ電話１０１に返送する（ステップＳ１５０４）。
【０１３９】
この場合、図９に示したドメイン名「１．０．０．０．０．０．０．１．３．１．８．ｅ１６４．ａｒｐａ」に対応したＵＲＩ「！＾．＊＄！ｓｉｐ：８１３１００００００１．ｔｏｋｙｏ．ｓｉｐ．ｊｐ」と「！＾．＊＄！ｈｔｔｐ：／／ｗｗｗ．ｔｏｋｙｏ２．ｓｉｐ．ｃｏｍ／ｕｓｅｒ８１３１００００００１．ｈｔｍｌ」がＩＰ電話１０１に返送される。
【０１４０】
次に、ＩＰ電話１０１は、ＥＮＵＭサーバ１０５から「ＥＮＵＭ応答」メッセージを受け付けると、その「ＥＮＵＭ応答」メッセージに含まれるＮＡＰＴＲレコードからＵＲＩを抽出し、そのＵＲＩを含む「ＩＰ電話１０２のＩＰアドレス問合せ」メッセージをＤＮＳサーバ９０１に送出する（ステップＳ１５０５）。
【０１４１】
ＤＮＳサーバ９０１は、ＩＰ電話１０１から「ＩＰ電話１０２のＩＰアドレス問合せ」メッセージを受け付けると、その「ＩＰ電話１０２のＩＰアドレス問合せ」メッセージに含まれるＵＲＩを参照してデータベースからＩＰ電話１０２のＩＰアドレスを検索し、そのＩＰアドレスを含む「ＩＰアドレス応答」メッセージをＩＰ電話１０１に返送する（ステップＳ１５０６）。
【０１４２】
次に、ＩＰ電話１０１は、ＤＮＳサーバ９０１から「ＩＰアドレス応答」メッセージを受け付けると、その「ＩＰアドレス応答」メッセージに含まれるＩＰアドレスに基づいて、「ＩＮＶＩＴＥ」メッセージを含む発呼をＩＰ電話１０２に送出する（ステップＳ１５０７）。
【０１４３】
ＩＰ電話１０２は、ＩＰ電話１０１から「ＩＮＶＩＴＥ」メッセージを含む発呼を受け付けると、呼び出し音を鳴動させて着信をユーザに知らせるとともに、「１８０ｒｉｎｇｉｎｇ」メッセージをＩＰ電話１０１に返送する（ステップＳ１５０８）。
【０１４４】
次に、ＩＰ電話１０１は、ＩＰ電話１０２から「１８０ｒｉｎｇｉｎｇ」メッセージを受け付けると、ハンドセット２０３のスピーカからリングバックトーンが発音して、相手先のＩＰ電話１０２を呼び出していることをユーザに知らせる。そして、相手先のＩＰ電話１０２において、ユーザによるハンドセット２０３のオフフックが検出されると、ＩＰ電話１０２は、接続許可を示す「２００ＯＫ」メッセージをＩＰ電話１０１に送出する（ステップＳ１５０９）。
【０１４５】
ＩＰ電話１０１は、ＩＰ電話１０２から「２００ＯＫ」メッセージを受け付けると、「ＡＣＫ」メッセージをＩＰ電話１０２に送出する（ステップＳ１５１０）。ＩＰ電話１０２は、ＩＰ電話１０１から「ＡＣＫ」メッセージを受け付けると、ＩＰ電話１０１とＩＰ電話１０２との間で通話可能状態となる。
【０１４６】
次に、ＰＣ１４０１は、ＩＰ電話１０２のユーザの静止画データを格納しているＷＥＢサーバ１０４ＢのＵＲＬを問い合わせるため、既にユーザが操作済みの相手電話番号の入力を契機としてＥＮＵＭクライアント部５０４を動作させてＩＰ電話１０２の電話番号「０３１００００００１」を設定した「ＩＰ電話１０２のＮＡＰＴＲ問合せ」メッセージをＥＮＵＭサーバ１０５に送出する（ステップＳ１５１１）。ＥＮＵＭサーバ１０５は、ＰＣ１４０１から「ＩＰ電話１０２のＮＡＰＴＲ問合せ」メッセージを受け付けると、その「ＩＰ電話１０２のＮＡＰＴＲ問合せ」メッセージに含まれる電話番号「０３１００００００１」を参照して、データベース４０３から該当するＮＡＰＴＲレコードを検索する。そして、ＥＮＵＭサーバ１０５は、検索したＮＡＰＴＲレコードを含む「ＥＮＵＭ応答」メッセージをＰＣ１４０１に返送する（ステップＳ１５１２）。
【０１４７】
この場合、図９に示したドメイン名「１．０．０．０．０．０．０．１．３．１．８．ｅ１６４．ａｒｐａ」に対応したＵＲＩ「！＾．＊＄！ｓｉｐ：８１３１００００００１．ｔｏｋｙｏ．ｓｉｐ．ｊｐ」と「！＾．＊＄！ｈｔｔｐ：／／ｗｗｗ．ｔｏｋｙｏ２．ｓｉｐ．ｃｏｍ／ｕｓｅｒ８１３１００００００１．ｈｔｍｌ」がＰＣ１４０１に返送される。
【０１４８】
次に、ＰＣ１４０１は、ＥＮＵＭサーバ１０５から「ＥＮＵＭ応答」メッセージを受け付けると、その「ＥＮＵＭ応答」メッセージに含まれるＮＡＰＴＲレコードからｈｔｔｐアドレス「ｈｔｔｐ：／／ｗｗｗ．ｔｏｋｙｏ２．ｓｉｐ．ｃｏｍ／ｕｓｅｒ８１３１００００００１．ｈｔｍｌ」を抽出し、このｈｔｔｐアドレスを含む「ＷＥＢ１０４ＢのＵＲＬアクセス要求」メッセージをＷＥＢサーバ１０４Ｂに送出する（ステップＳ１５１３）。
【０１４９】
ＷＥＢサーバ１０４Ｂは、ＰＣ１４０１から「ＷＥＢ１０４ＢのＵＲＬアクセス要求」メッセージを受け付けると、「ＷＥＢ１０４Ｂのアクセス応答」メッセージをＰＣ１４０１に返送する（ステップＳ１５１４）。ここで、ＰＣ１４０１は、ＷＥＢサーバ１０４Ｂから送信されるカメラ１０４Ａが撮影する静止画データのＨＴＭＬファイルの受信が可能となる。
【０１５０】
次に、ＰＣ１４０２のユーザは、通話が確立した後に手動でＰＣ１４０２にブラウザベースで発信者電話番号の入力と、ＥＮＵＭクライアント部５０４の起動をオン操作する。ＰＣ１４０２は、ＷＥＢサーバ１０３ＢのＵＲＬを問い合わせるため、電話番号「０３１０００００００」を設定した「ＩＰ電話１０１のＮＡＰＴＲ問合せ」メッセージをＥＮＵＭサーバ１０５に送出する（ステップＳ１５１５）。ＥＮＵＭサーバ１０５は、ＰＣ１４０２から「ＩＰ電話１０１のＮＡＰＴＲ問合せ」メッセージを受け付けると、その「ＩＰ電話１０１のＮＡＰＴＲ問合せ」メッセージに含まれる電話番号「０３１０００００００」を参照して、データベース４０３から該当するＮＡＰＴＲレコードを検索する。そして、ＥＮＵＭサーバ１０５は、検索したＮＡＰＴＲレコードを含む「ＥＮＵＭ応答」メッセージをＰＣ１４０２に返送する（ステップＳ１５１６）。
【０１５１】
この場合、図９に示したドメイン名「０．０．０．０．０．０．０．１．３．１．８．ｅ１６４．ａｒｐａ」に対応したＵＲＩ「！＾．＊＄！ｓｉｐ：８１３１０００００００．ｔｏｋｙｏ．ｓｉｐ．ｊｐ」と「！＾．＊＄！ｈｔｔｐ：／／ｗｗｗ．ｔｏｋｙｏ１．ｓｉｐ．ｃｏｍ／ｕｓｅｒ８１３１０００００００．ｈｔｍｌ」がＰＣ１４０２に返送される。
【０１５２】
次に、ＰＣ１４０２は、ＥＮＵＭサーバ１０５から「ＥＮＵＭ応答」メッセージを受け付けると、その「ＥＮＵＭ応答」メッセージに含まれるＮＡＰＴＲレコードからｈｔｔｐアドレス「ｈｔｔｐ：／／ｗｗｗ．ｔｏｋｙｏ１．ｓｉｐ．ｃｏｍ／ｕｓｅｒ８１３１０００００００．ｈｔｍｌ」を抽出し、このｈｔｔｐアドレスを含む「ＷＥＢ１０３ＢのＵＲＬアクセス要求」メッセージをＷＥＢサーバ１０３Ｂに送出する（ステップＳ１５１７）。
【０１５３】
ＷＥＢサーバ１０３Ｂは、ＰＣ１４０２から「ＷＥＢ１０３ＢのＵＲＬアクセス要求」メッセージを受け付けると、「ＷＥＢ１０３Ｂのアクセス応答」メッセージをＰＣ１４０２に返送する（ステップＳ１５１８）。
【０１５４】
以上により、ＰＣ１４０２は、ＷＥＢサーバ１０３Ｂから送信されるカメラ１０３Ａの撮影する静止画データのＨＴＭＬファイルの受信が可能となり、ＰＣ１４０１の表示部５０１には、ネットワークカメラ１０４で撮影される静止画が順次表示され、ＰＣ１４０２の表示部５０１には、ネットワークカメラ１０３で撮影される静止画が順次表示されることになる。そして、ＩＰ電話１０１とＩＰ電話１０２の各ユーザは、ＰＣ１４０１，１４０２の表示部５０１で相互のユーザの準動画像を見ながら通話するビジュアルコミュニケーションが可能になる。
【０１５５】
次に、図１５のシーケンス図に示したＩＰ電話１０１，１０２及びＰＣ１４０１，１４０２の各動作について、図１６〜図１９に示すフローチャートを参照して説明する。図１６は、ＰＣ１４０１の動作を示すフローチャートであり、図１７は、ＩＰ電話１０１の動作を示すフローチャートである。図１８は、ＩＰ電話１０２の動作を示すフローチャートであり、図１９は、ＰＣ１４０２の動作を示すフローチャートである。
【０１５６】
ＰＣ１４０１において、ブラウザ部５０２が表示部５０１に電話帳ページを表示し（ステップＳ１６０１）、その電話帳から通話先が選択されたか否かを、電話番号入力部５０３からの選択指示信号の有無により判別する（ステップＳ１６０２）。通話先としてＩＰ電話１０２の電話番号「０３１００００００１」がユーザにより選択されると（ステップＳ１６０２：ＹＥＳ）、ＰＣ１４０１は、その電話番号「０３１００００００１」を、予めＰＣ１４０１のペアＩＰ電話設定部５０５で設定されたＩＰ電話１０１に通知する（ステップＳ１６０３）。
【０１５７】
次に、ＰＣ１４０１は、ＩＰ電話１０２のユーザの静止画データを格納しているＷＥＢサーバ１０４ＢのＵＲＬを問い合わせるため、既にユーザが操作済みの相手電話番号の入力を契機としてＥＮＵＭクライアント部５０４を動作させてＩＰ電話１０２の電話番号「０３１００００００１」を設定した「ＩＰ電話１０２のＮＡＰＴＲ問合せ」メッセージをＥＮＵＭサーバ１０５に送出して、ＩＰ電話１０２のＮＡＰＴＲレコードを取得するＮＡＰＴＲ取得処理（上記ステップＳ１５１１，Ｓ１５１２）を実行する（ステップＳ１６０４）。
【０１５８】
ＰＣ１４０１は、ＥＮＵＭサーバ１０５からＩＰ電話１０２のＮＡＰＴＲレコードを取得すると、そのＮＡＰＴＲレコードにＩＰ電話１０２が接続するＷＥＢサーバ１０４ＢのＵＲＬが含まれるか否かを判別する（ステップＳ１６０５）。ＰＣ１４０１は、ＷＥＢサーバ１０４ＢのＵＲＬが含まれていると判別した場合は（ステップＳ１６０５：ＹＥＳ）、ステップＳ１６０６に移行する。
【０１５９】
ＰＣ１４０１は、ＮＡＰＴＲレコードに含まれるＷＥＢサーバ１０４ＢのＵＲＬ「ｈｔｔｐ：／／ｗｗｗ．ｔｏｋｙｏ２．ｓｉｐ．ｃｏｍ／ｕｓｅｒ８１３１００００００１．ｈｔｍｌ」を基に、ＷＥＢサーバ１０４Ｂにアクセスする（ステップＳ１６０６）。ここで、ＰＣ１４０１は、ＷＥＢサーバ１０４Ｂから送信される静止画データのＨＴＭＬファイルの受信が可能となる（ステップＳ１６０７）。
【０１６０】
また、ステップＳ１６０５において、ＰＣ１４０１は、ＷＥＢサーバ１０４ＢのＵＲＬが含まれていないと判別した場合は（ステップＳ１６０５：ＮＯ）、処理を中断して終了する。
【０１６１】
図１７において、ＩＰ電話１０１は、ＰＣ１４０１からＩＰ電話１０２の電話番号「０３１００００００１」が通知されると（ステップＳ１７０１）、その電話番号「０３１００００００１」を設定した「ＩＰ電話１０２のＮＡＰＴＲ問合せ」メッセージをＥＮＵＭサーバ１０５に送出して、ＩＰ電話１０２のＮＡＰＴＲレコードを取得するＮＡＰＴＲ取得処理を実行する（ステップＳ１７０２）。
【０１６２】
次に、ＩＰ電話１０１は、ＥＮＵＭサーバ１０５から「ＥＮＵＭ応答」メッセージを受け付けると、その「ＥＮＵＭ応答」メッセージに含まれるＮＡＰＴＲレコードからＵＲＩを抽出し、そのＵＲＩを含む「ＩＰ電話１０２のＩＰアドレス問合せ」メッセージをＤＮＳサーバ９０１に送出して、ＩＰ電話１０２のＩＰアドレスを取得するＩＰアドレス取得処理（上記ステップＳ１５０５，Ｓ１５０６）を実行する（ステップＳ１７０３）。
【０１６３】
次に、ＩＰ電話１０１は、ＤＮＳサーバ９０１から「ＩＰアドレス応答」メッセージを受け付けると、その「ＩＰアドレス応答」メッセージに含まれるＩＰアドレスに基づいて、「ＩＮＶＩＴＥ」メッセージを含む発呼をＩＰ電話１０２に送出して、発呼処理（上記ステップＳ１５０７〜ステップＳ１５１０）を実行して（ステップＳ１７０４）、ＩＰ電話１０２との通話を開始する（ステップＳ１７０５）。
【０１６４】
次に、図１８において、ＩＰ電話１０２は、ＩＰ電話１０１からの着信を受け付けると、ＩＰ電話１０１との間で着信処理（上記ステップＳ１５０７〜ステップＳ１５１０）を実行し（ステップＳ１８０１）、ＩＰ電話１０１との間で通話を開始する（ステップＳ１８０２）。
【０１６５】
次に、図１９において、ＰＣ１４０２のユーザは、通話が確立した後に手動でＰＣ１４０２にブラウザベースで発信者電話番号の入力と、ＥＮＵＭクライアント部５０４の起動をオン操作する（ステップＳ１９０１）。ＰＣ１４０２は、ＷＥＢサーバ１０４Ｂのブラウザ部５０２におけるＰＣ１４０１から送信される静止画データのＨＴＭＬファイルの受信の有無を判別する（ステップＳ１９０２）。
【０１６６】
ＰＣ１４０２は、ＷＥＢサーバ１０４Ｂのブラウザ部５０２においてＰＣ１４０１から送信される静止画データのＨＴＭＬファイルの受信有りと判別した場合は（ステップＳ１９０２：ＹＥＳ）、ＩＰ電話１０１が接続するＷＥＢサーバ１０３ＢのＵＲＬを問い合わせるため、既にユーザが操作済みの相手電話番号の入力を契機としてＥＮＵＭクライアント部５０４を動作させて電話番号「０３１０００００００」を設定した「ＩＰ電話１０１のＮＡＰＴＲ問合せ」メッセージをＥＮＵＭサーバ１０５に送出して、ＩＰ電話１０１のＮＡＰＴＲレコードを取得すＮＡＰＴＲ取得処理（上記ステップＳ１５１５，Ｓ１５１６）を実行する（ステップＳ１９０３）。
【０１６７】
次に、ＰＣ１４０２は、ＥＮＵＭサーバ１０５からＮＡＰＴＲレコードを取得すると、そのＮＡＰＴＲレコードにＷＥＢサーバ１０３ＢのＵＲＬが含まれるか否かを判別する（ステップＳ１９０４）。ＰＣ１４０２は、ＷＥＢサーバ１０３ＢのＵＲＬが含まれると判別した場合は（ステップＳ１９０４：ＹＥＳ）、ステップＳ１９０５に移行する。
【０１６８】
ＰＣ１４０２は、ＮＡＰＴＲレコードに含まれるＷＥＢサーバ１０３ＢのＵＲＬ「ｈｔｔｐ：／／ｗｗｗ．ｔｏｋｙｏ１．ｓｉｐ．ｃｏｍ／ｕｓｅｒ８１３１０００００００．ｈｔｍｌ」を抽出し、このＵＲＬを基にＷＥＢサーバ１０３Ｂにアクセスする（ステップＳ１９０５）。ここで、ＰＣ１４０２は、ＷＥＢサーバ１０３Ｂから送信される静止画データのＨＴＭＬファイルの受信が可能となる（ステップＳ１９０６）。
【０１６９】
また、ＰＣ１４０２は、ステップＳ１９０２において、ＷＥＢサーバ１０４Ｂのブラウザ部５０２においてＰＣ１４０１から送信される静止画データのＨＴＭＬファイルの受信無しと判別した場合は（ステップＳ１９０２：ＮＯ）、処理を中断して終了する。また、ＰＣ１４０２は、ステップＳ１９０４において、ＷＥＢサーバ１０３ＢのＵＲＬが含まれていないと判別した場合は（ステップＳ１９０４：ＮＯ）、処理を中断して終了する。
【０１７０】
以上により、ＰＣ１４０２は、ＷＥＢサーバ１０３Ｂから送信されるカメラ１０３が撮影する静止画データのＨＴＭＬファイルの受信が可能となり、ＰＣ１４０１の表示部５０１には、ネットワークカメラ１０４で撮影される静止画が順次表示され、ＰＣ１４０２の表示部５０１には、ネットワークカメラ１０３で撮影される静止画が順次表示されることになる。そして、ＩＰ電話１０１とＩＰ電話１０２の各ユーザは、ＰＣ１４０１，１４０２の表示部５０１で相互のユーザの準動画像を見ながら通話するビジュアルコミュニケーションが可能になる。
【０１７１】
以上のように、本実施の形態３のＩＰ電話システム１４００では、ＩＰ電話１０１がＥＮＵＭサーバ１０５からＩＰ電話１０２のＮＡＰＴＲレコードを取得し、そのＮＡＰＴＲレコードに含まれるＵＲＩによりＤＮＳサーバ９０１からＩＰ電話１０２のＩＰアドレスを取得してＩＰ電話１０２との間の通話を確立した後、ＰＣ１４０１がＥＮＵＭサーバ１０５からＷＥＢサーバ１０４ＢのＵＲＬを取得してネットワークカメラ１０４で撮影される静止画データの通信を開始する手順を実現した。
【０１７２】
したがって、ＩＰ電話に画像を表示する表示手段がなくても、ＰＣのブラウザに表示される通話相手の静止画を見ながら通話することができる。また、ＰＣ１４０１，１４０２を接続したＩＰ電話システム１４００に動画符号化・復号化処理のハードウェアを追加することなく、また、ＩＰ電話１０１（１０２）に特別な動画符号化・復号化処理のソフトウェアを追加することなくビジュアルコミュニケーションを安価に実現することができる。
【０１７３】
なお、上記実施の形態３では、ＩＰ電話１０１からＩＰ電話１０２に発呼する場合を説明したが、ＩＰ電話１０２からＩＰ電話１０１に発呼する場合も同様に上記シーケンス及びフローを適用可能である。また、上記実施の形態３では電話帳ページから電話番号を選択してＩＰ電話１０１に通知していたが、一度、ＩＰ電話１０２にペアリングされたＷｅｂサーバ１０４ＢのＵＲＬにアクセスした場合、その情報を電話帳に保存しておくことで、操作手順の簡略化を行っても構わない。
【産業上の利用可能性】
【０１７４】
本発明に係るＩＰ電話装置、ＥＮＵＭサーバ、情報処理装置及びＩＰ電話システムによれば、ＩＰ電話システムにハードウェアを追加することなく、また、ＩＰ電話に特別なソフトウェアを追加することなくビジュアルコミュニケーションを安価に実現するＩＰ電話システムを提供できる点で有用である。
【図面の簡単な説明】
【０１７５】
【図１】本発明を適用した実施の形態１に係るＩＰ電話システムの構成を示す図
【図２】本実施の形態１に係るＩＰ電話の構成を示すブロック図
【図３】図２のＩＰ電話の外観を示す正面図
【図４】本実施の形態１に係るＥＮＵＭサーバの構成を示すブロック図
【図５】本実施の形態１に係るＮＡＰＴＲレコードの一例を示す図
【図６】本実施の形態１に係るＩＰ電話システムにおいて、ＩＰ電話間の通話開始後に、ＩＰ電話間で画像通信を確立するまでの動作を説明するためのシーケンス図
【図７】図６のシーケンス図におけるＩＰ電話システムの動作を説明するためのフローチャート図
【図８】本発明を適用した実施の形態２に係るＩＰ電話システムの構成を示す図
【図９】本実施の形態２に係るＮＡＰＴＲレコードの一例を示す図
【図１０】本実施の形態２に係るＩＰ電話システムにおいて、ＩＰ電話間の通話開始後に、ＩＰ電話間で画像通信を確立するまでの動作を説明するためのシーケンス図
【図１１】図１０のシーケンス図における発信側ＩＰ電話の動作を説明するためのフローチャート図
【図１２】図１０のシーケンス図における着信側ＩＰ電話の動作を説明するためのフローチャート図
【図１３】本発明を適用した実施の形態３に係るＩＰ電話システムの構成を示す図
【図１４】本実施の形態３に係るＰＣの構成を示すブロック図
【図１５】本実施の形態３に係るＩＰ電話システムにおいて、ＩＰ電話間の通話開始後に、ＩＰ電話間で画像通信を確立するまでの動作を説明するためのシーケンス図
【図１６】図１５のシーケンス図における発信側ＰＣの動作を説明するためのフローチャート図
【図１７】図１５のシーケンス図における発信側ＩＰ電話の動作を説明するためのフローチャート図
【図１８】図１５のシーケンス図における着信側ＩＰ電話の動作を説明するためのフローチャート図
【図１９】図１５のシーケンス図における着信側ＰＣの動作を説明するためのフローチャート図
【符号の説明】
【０１７６】
１００，９００，１４００  ＩＰ電話システム
１０１，１０２  ＩＰ電話
１０３，１０４  ネットワークカメラ
１０３Ａ，１０４Ａ  カメラ
１０３Ｂ，１０４Ｂ  ＷＥＢサーバ
１０５  ＥＮＵＭサーバ
１０６  ＣＡ
１０７  ＩＰネットワーク
２０１，４０１  ＣＰＵ
２０２，４０２  メモリ
２０３  ハンドセット
２０４  表示装置
２０５，４０５  ネットワークＩ／Ｆ
４０３  データベース
５０１  表示部
５０２  ブラウザ部
５０３  電話番号入力部
５０４  ＥＮＵＭクライアント部
５０５  ペアＩＰ電話設定部
５０６  ペアＩＰ電話通信部
９０１  ＤＮＳサーバ
１４０１，１４０２  ＰＣ
【図１】
2006135448.tif 000003
【図２】
2006135448.tif 000004
【図３】
2006135448.tif 000005
【図４】
2006135448.tif 000006
【図５】
2006135448.tif 000007
【図６】
2006135448.tif 000008
【図７】
2006135448.tif 000009
【図８】
2006135448.tif 000010
【図９】
2006135448.tif 000011
【図１０】
2006135448.tif 000012
【図１１】
2006135448.tif 000013
【図１２】
2006135448.tif 000014
【図１３】
2006135448.tif 000015
【図１４】
2006135448.tif 000016
【図１５】
2006135448.tif 000017
【図１６】
2006135448.tif 000018
【図１７】
2006135448.tif 000019
【図１８】
2006135448.tif 000020
【図１９】
2006135448.tif 000021